(57)【要約】【課題】実際に使用したときと高い相関関係が成り立つ水分測定装置を提供することである。【解決手段】測定対象の表面へ水性液体を供給して測定対象の表面に残存する水分を測定するための測定装置であって、測定対象の表面へ水性液体を供給するための供給管（１１）と、測定対象の水分を測定するための水分センサー（１２）と、測定対象と面接触できる面状体（１３）とを備え、面状体（１３）に設けられた水性液体の供給口（１４）と供給管（１１）とが接続され、水分センサー（１２）が測定対象に接触するように面状体（１３）に配置されているか、又は測定対象に対して非接触となるように面状体（１３）に配置されているカートリッジ（１０）を含むことを特徴とする水分測定装置を用いる。【選択図】図４
2008249609.tif 000002
【特許請求の範囲】
【請求項１】
測定対象の表面へ水性液体を供給して測定対象の表面に残存する水分を測定するための測定装置であって、
測定対象の表面へ水性液体を供給するための供給管（１１）と、測定対象の水分を測定するための水分センサー（１２）と、測定対象と面接触できる面状体（１３）とを備え、
面状体（１３）に設けられた水性液体の供給口（１４）と供給管（１１）とが接続され、
水分センサー（１２）が測定対象に接触するように面状体（１３）に配置されているか、又は測定対象に対して非接触となるように面状体（１３）に配置されているカートリッジ（１０）を含むことを特徴とする水分測定装置。
【請求項２】
さらに、カートリッジ（１０）と協同して測定対象を挟持するための支持台（２０）を備えた請求項１に記載の水分測定装置。
【請求項３】
さらに、供給管（１１）へ水性液体を送液するための定量ポンプ（３０）と、水性液体の供給量を制御するための供給量制御手段（３１）とを備えた請求項１又は２に記載の水分測定装置。
【請求項４】
測定対象に対して加熱及び／又は冷却できる温度調整手段（２１）を支持台（２０）に内蔵している請求項２に記載の水分測定装置。
【請求項５】
測定対象へカートリッジの荷重が加わらないようにするためのスペーサー（２２）を支持台（２０）に設けるか、又は測定対象へカートリッジの荷重が加わらないようにするためのスペーサー（１５）をカートリッジ（１０）に設けるている請求項２〜４のいずれかに記載の水分測定装置。
【請求項６】
さらに、測定対象に荷重を印可するための荷重印可手段（４０）と、荷重を制御するための荷重制御手段（４１）とを備えた請求項１〜５のいずれかに記載の水分測定装置。
【請求項７】
水分センサー（１２）の個数が２〜５０個である請求項１〜６のいずれかに記載の水分測定装置。
【請求項８】
さらに、測定データを保存するための保存手段（５０）と、測定データを表示するための表示手段（６０）とを備えた請求項１〜７のいずれかに記載の水分測定装置。
【請求項９】
請求項１〜８のいずれかに記載された水分測定装置を用いて、測定対象に含有させる吸水性樹脂の種類を決定する工程を含むことを特徴とする吸水性樹脂の製造方法。
【請求項１０】
請求項１〜８のいずれかに記載された水分測定装置を用いて、測定対象に含有させる吸水性樹脂の種類及び／又は含有量を決定する工程を含むことを特徴とする吸液性物品の製造方法。
【請求項１１】
請求項１〜８のいずれかに記載された水分測定装置を用いて、測定対象の構造並びに／又は原材料の種類及び／若しくは含有量を決定する工程を含むことを特徴とする吸液性物品の製造方法。
【発明の詳細な説明】
【技術分野】
【０００１】
本発明は水分測定装置に関する。
【背景技術】
【０００２】
水分に比例して乱反射する反射光を光電変換器で測定する表面水分測定装置が知られている（特許文献１）。
【特許文献１】特許第２８１２４４０号公報
【発明の開示】
【発明が解決しようとする課題】
【０００３】
しかし、従来の表面水分測定装置を用いて得られたデータと、実際に使用したときの間に、相関関係が成り立たない場合がある。すなわち、従来の表面水分測定装置を用いて得られたデータに基づいて製品設計しても、製品を実際に使用したときに望ましくない結果が得られる場合がある。そこで、本発明の目的は、実際に使用したときと高い相関関係が成り立つ水分測定装置を提供することである。
【課題を解決するための手段】
【０００４】
本発明の水分測定装置の特徴は、測定対象の表面へ水性液体を供給して測定対象の表面に残存する水分を測定するための測定装置であって、
測定対象の表面へ水性液体を供給するための供給管（１１）と、測定対象の水分を測定するための水分センサー（１２）と、測定対象と面接触できる面状体（１３）とを備え、
面状体（１３）に設けられた水性液体の供給口（１４）と供給管（１１）とが接続され、
水分センサー（１２）が測定対象に接触するように面状体（１３）に配置されているか、又は測定対象に対して非接触となるように面状体（１３）に配置されているカートリッジ（１０）を含む点を要旨とする。
【０００５】
本発明の吸水性樹脂の製造方法の特徴は、本発明の水分測定装置を用いて、測定対象に含有させる吸水性樹脂の種類を決定する工程を含む点を要旨とする。
【０００６】
本発明の吸液性物品の製造方法の特徴は、本発明の水分測定装置を用いて、測定対象に含有させる吸水性樹脂の種類及び／又は含有量を決定する工程を含む点を要旨とする。
【０００７】
また、本発明の吸液性物品の製造方法の特徴は、本発明の水分測定装置を用いて、測定対象の構造並びに／又は原材料の種類及び／若しくは含有量を決定する工程を含む点を要旨とする。
【発明の効果】
【０００８】
本発明の水分測定装置は、実際に使用したときと高い相関関係が成り立つ。すなわち、本発明の水分測定装置を用いて得られたデータに基づいて製品設計すると、製品を実際に使用したときに期待通りの特性を発揮する。したがって、本発明の水分測定装置を用いると、高性能の吸水性樹脂を容易に製造することができる。また、本発明の水分測定装置を用いると、高性能の吸液性物品を容易に製造することができる。
【０００９】
本発明の吸水性樹脂の製造方法は、本発明の水分測定装置を用いるので、高性能の吸水性樹脂を容易に製造することができる。
【００１０】
本発明の吸液性物品の製造方法は、本発明の水分測定装置を用いるので、高性能の吸液性物品を容易に製造することができる。
【発明を実施するための最良の形態】
【００１１】
測定対象としては、水性液体を吸液する吸液性物品等が含まれる。
吸液性物品としては、紙おむつ（子供用紙おむつ、大人用紙おむつ及び医療用紙おむつ等）、生理用ナプキン、紙タオル、パッド（失禁者用パッド、母乳パッド及び手術用アンダーパット等）、ペット尿吸収シート、ドリップ吸収シート（肉及び魚介類等用）及びこれらの構成部材となる吸液体等が挙げられる。
【００１２】
水性液体としては、水を含む流動体であれば特に制限ないが、たとえば、生理食塩水（０．９重量％塩化ナトリウム水溶液）、人工尿（塩化カリウム０．０３重量％、硫酸マグネシウム０．０８重量％、塩化ナトリウム０．８重量％及び脱イオン水９９．０９重量％）、人工血液（塩化ナトリウム１重量％、炭酸ナトリウム１．０７重量％、グリセリン１０重量％、カルボキシメチルセルロース０．１重量％、脱イオン水８７．８３重量％）、脱イオン水、水道水、体液（血液及び尿等）、泥水、海水、河川水及び湖沼水等が挙げられる。
【００１３】
なお、水性液体には、油状物を含有していてもよい。油状物としては、動粘度（４０℃）０．５〜２０００ｍｍ２／ｓｅｃのシリコーンオイル、動粘度（４０℃）５〜４０ｍｍ２／ｓｅｃの炭化水素油（鉱物油及びパラフィンオイル等）、動植物油（菜種油、ひまわり油、牛脂及び豚脂等）及び糞便等が挙げられる。
【００１４】
これらのうち、油状物を含まないものが好ましく、さらに好ましくは生理食塩水、人工尿、人工血液、脱イオン水、水道水、血液、尿及び海水、特に好ましくは生理食塩水、人工尿、人工血液、脱イオン水及び水道水、最も好ましくは生理食塩水、人工尿、人工血液及び脱イオン水である。
【００１５】
本発明の水分測定装置は、測定対象の表面へ水性液体を供給して測定対象の表面に残存する水分を測定するための測定装置である。ここで、「測定対象の表面」とは、測定対象の内部へ水性液体を積極的に供給することと区別するため、そして、測定対象の内部に存在する水分を積極的に測定することと区別するために用い、厳密な意味で用いているわけではない。
【００１６】
カートリッジ（１０）は、測定対象の表面へ水性液体を供給するための供給管（１１）と、測定対象の水分を測定するための水分センサー（１２）と、測定対象と面接触できる面状体（１３）とを備えるが、さらに、測定対象へカートリッジの荷重が加わらないようにするためのスペーサー（１５、２２）や水分センサーを保護するための保護カバー（１６）等を備えていてもよい。そして、以下説明するように、カートリッジ（１０）は、面状体（１３）をベースとして、この面状体に供給管（１１）及び水分センサー（１２）、並びに必要によりスペーサー（１５、２２）及び／又は保護カバー（１６）が設けられている。
【００１７】
測定対象に面接触できる面状体（１３）は、測定対象の吸液面と面接触できれば、その形や大きさ、材質等に制限がない。面状体（１３）の形としては、たとえば、平面、曲面｛円柱面、楕円柱面、双曲柱面、放物柱面、球面、楕円球面、臀部（でんぶ）表面形状及びこれらの一部分等｝又はこれらの組合せと、長方形、正方形、円形、楕円形又は臀部（でんぶ）等の形状とが組み合わせたもの等が挙げられる。たとえば、単純な形としては、長方形平面（図１及び２参照）、円形平面及び楕円形平面等が挙げられる。また、複雑な形としては、長方形平面と半円注面との組合せ（図３及び４参照）及び臀部表面形状等が挙げられる。
【００１８】
面状体（１３）の大きさとしては、測定対象の吸液面と同程度でもよく、吸液面より小さくてもよく、また、大きくてもよい。取扱性や後述するスペーサー（１５）の設置スペース等の観点から、測定対象の吸液面と同程度の大きさか、又は僅かに大きいことが好ましく、たとえば、測定対象が紙おむつや生理用ナプキン、パット等の場合、面状体（１３）の大きさは、１０〜１００ｃｍ（好ましくは２０〜９０ｃｍ、さらに好ましくは３０〜８０ｃｍ、特に好ましくは４０〜７０ｃｍ）×５〜１００ｃｍ（好ましくは１０〜９０ｃｍ、さらに好ましくは１５〜８０ｃｍ、特に好ましくは２０〜７０ｃｍ）程度である。また、面状体（１３）の厚み（ｃｍ）は、強度等の観点から、適宜決定すればよいが、たとえば、０．１〜３程度が好ましく、さらに好ましくは０．３〜２、特に好ましくは０．５〜５である。
【００１９】
面状体（１３）の材質としては、測定対象の観察等の観点から、透明な材料が好ましく、さらに好ましくはガラス及びプラスチック（アクリル樹脂、塩化ビニル樹脂、ポリカーボネート、ポリプロピレン及びポリエチレン等）、加工性等の観点から、特に好ましくはプラスチック、最も好ましくはアクリル樹脂及び塩化ビニル樹脂である。
【００２０】
面状体（１３）には、水性液体の供給口（１４）が設けてある。供給口（１４）は、水性液体が測定対象へ移動できれば、断面形状や大きさ等に制限はない。供給口（１３）の断面形状としては、たとえば、円形、楕円形、八角形、六角形、正方形及び半円形等が挙げられる。これらのうち、作りやすさ等の観点から、円形が好ましい。供給口（１３）の大きさ（断面積）としては、たとえば、０．１〜２０ｃｍ２程度が好ましく、さらに好ましくは０．７〜１３、特に好ましくは４．９〜７．１である。
【００２１】
供給口（１４）は、ガラスフィルター、金網又はパンチングメタル等で塞がれていてもよい。
【００２２】
供給口（１４）の個数は、１個に限らず、複数個（たとえば、２〜１０個程度、好ましくは３〜６個）であってもよい。特に、供給管（１１）と供給口（１４）との接続を脱着可能にしたとき、複数個の供給口を設けておくと、実際に使用する供給口（１４）を適宜選択することができる｛たとえば、測定対象として紙おむつに適用した場合、男女別の体の構造に合わせた水分測定が容易となる。｝。また、供給口（１４）を複数個設けると、複数箇所から、同時に又は時間差を設けて、水性液体を供給して、水分測定することができる。
【００２３】
なお、供給管（１１）と供給口（１４）との接続を脱着可能にする手段としては、公知の手段等が適用でき、たとえば、オネジ・メネジを用いてねじ込み式、ゴムパッキンを用いた挿入式及び接続具（カプラーやコネクタ等）を用いたワンタッチ式等が挙げられる。また、供給口を複数個設けた場合、実際に使用する供給口（１４）以外の開口部は、そのまま開口したままでもよいが、水性液体が漏れないよう開口部を栓等で塞ぐことが好ましい。栓等で塞ぐ手段としては、公知の手段等が適用でき、たとえば、オネジ・メネジを用いてねじ込み式、ゴムパッキンを用いた挿入式又は接続具（カプラーやコネクター等）を用いたワンタッチ式により、栓で塞ぐ手段等が挙げられる。
【００２４】
測定対象の表面へ水性液体を供給するための供給管（１１）は、面状体（１３）に設けられた水性液体の供給口（１４）と接続されている。すなわち、水性液体のすべては、供給管（１１）を通って供給口（１４）から測定対象へ供給されるが、水性液体が測定対象に素早く吸液されない場合、この供給管（１１）には、過剰に供給される水性液体が吸液されるまで保持しておく働きがある。
【００２５】
供給管（１１）は、供給口（１４）と接続され、かつ、水性液体が供給口（１４）から測定対象へ供給できれば、接続の仕方に制限はない。たとえば、供給管（１１）は、面状体（１３）に対して垂直に接続してもよいし、面状体（１３）と測定対象との接触面に対して一定の角度（たとえば、１５〜７５°）を持たせて接続してもよく、また、面状体（１３）の内部に内蔵されていてもよい。
【００２６】
供給管（１１）は、供給口（１４）との接続を脱着可能にしてもよい。脱着可能にしたとき、上述したように、複数個の供給口を設けた場合、実際に使用する供給口（１４）を適宜選択することができる。
【００２７】
供給管（１１）の個数は、１個に限らず、複数個（たとえば、２〜１０個程度、好ましくは３〜６個）であってもよい。複数個の供給管を設けておくと、実際に使用する供給管（１１）を適宜選択することができ｛たとえば、測定対象として紙おむつに適用した場合、男女別の体の構造に合わせた水分測定が容易となる。｝、また、複数箇所から、同時又は時間差を設けて、水性液体を供給して、水分測定することができる。
【００２８】
なお、供給管（１１）と供給口（１４）との接続を脱着可能にしたとき、供給管（１１）の数を減らすことができる｛供給管（１１）の数としては、たとえば、１〜５個程度、好ましくは１〜３個である。｝。
【００２９】
供給管（１１）を複数個設けた場合、実際に使用する供給管（１１）以外の供給管の開口部は、そのまま開口したままでもよいが、水性液体が漏れないよう開口部を栓等で塞ぐことが好ましい。栓等で塞ぐ手段としては、公知の手段等が適用でき、たとえば、オネジ・メネジを用いてねじ込み式、ゴムパッキンを用いた挿入式又は接続具（カプラーやコネクター等）を用いたワンタッチ式により、栓で塞ぐ手段等が挙げられる。
【００３０】
供給管（１１）は、水性液体が移動でき、かつ、過剰に供給されが水性液体を保持できれば、断面形状、内部断面大きさ及び材質等に制限はない。供給管（１１）の断面形状（水性液体の流れ方向に対する垂直な断面形状）は、入口（供給口から最も遠い箇所）から出口（供給口と接続する箇所）のすべての断面形状が同じであってもよく、相違していてもよい（たとえば、入口の断面形状が正方形で、出口の断面形状が円形等）が、接続しやすさの観点から、供給口（１１）と同じ断面形状であることが好ましい。
【００３１】
供給管（１１）の内部断面の大きさ（水性液体の流れ方向に対する垂直断面の内部空洞の断面積）は、入口から出口のすべての断面積が同じであってもよく、相違していてもよい（たとえば、入口の断面積が大きく、出口の断面積が入口の断面積の１／２の大きさ等）が、作りやすさ等の観点から、供給口（１１）と同じ断面積であることが好ましい。
【００３２】
供給管（１１）の材質としては、水性液体の観察等の観点から、透明な材料が好ましく、さらに好ましくはガラス及びプラスチック（アクリル樹脂、塩化ビニル樹脂、ポリカーボネート、ポリプロピレン及びポリエチレン等）、加工性等の観点から、特に好ましくはプラスチック、最も好ましくはアクリル樹脂及び塩化ビニル樹脂である。
【００３３】
水分センサー（１２）は、測定対象に接触するように面状体（１３）に配置されているか、又は測定対象に対して非接触となるように面状体（１３）に配置されている。水分センサー（１２）と測定対象とを、接触させるか、非接触にさせるかは水分センサーの測定原理に左右される。
【００３４】
なお、水分センサー（１２）が測定対象に接触するように面状体（１３）に配置する場合、水分センサー（１２）は、面状体（１３）の一部を貫通して設置される。一方、水分センサー（１２）が測定対象に対して非接触となるように面状体（１３）に配置する場合、面状体（１３）に窪みを設けて、この窪みに水分センサー（１２）を設置してもよいし、スペーサーを介して設置してもよい。
【００３５】
水分センサー（１２）は、１個であってもよいが、測定対象の測定範囲等の観点から、複数個あることが好ましい。水分センサー（１２）の個数は、２〜５０個が好ましく、さらに好ましくは３〜３０個、特に好ましくは４〜１０個である。水分センサー（１２）の個数が多い程、測定対象の広範囲を詳細に測定することができる。
【００３６】
水分センサー（１２）は、面状体（１３）に固定してもよく、自由に移動可能に設置してもよく、一定箇所に移動可能に設置してもよい。固定する場合、公知の方法等｛たとえば、接着剤により接着及びねじ止め等｝により固定できる。また、自由に移動可能に設置する場合、公知の方法等｛たとえば、磁石や面ファスナー等を用いて設置する方式及びトイやレール等に沿って移動するスライド式等｝により設置できる。また、一定箇所に移動可能に設置する場合、公知の方法等｛たとえば、面状体（１３）に設けた貫通孔や窪み等に挿入する方式等｝により設置できる。したがって、水分センサーの種類（測定原理等）によっては設置方法が決定してしまう場合がある。
【００３７】
水分センサー（１２）としては、水分を定量できればセンサーの方式（測定原理等）に制限はなく、たとえば、光学方式（光源；タングステン及びＬＥＤ等）、電気抵抗方式、電気容量方式及び超音波方式（速度変位方式）等が挙げられる。これらのうち、センサーの大きさ及び測定精度等の観点から、光学方式及び電気抵抗方式が好ましく、上述した設置方法の自由度等の観点から、さらに好ましくは光学方式である。
【００３８】
水分センサー（１２）としては、たとえば、水分センサー（有限会社オーテック）、水分センサー（株式会社フジワーク）、簡易型光学式水分センサ（三洋電機株式会社）及び電気式水分計（株式会社サンコウ電子研究所）及び水分計（株式会社ケツト科学研究所）等が好ましく例示できる。
【００３９】
測定対象へカートリッジの荷重が加わらないようにするためのスペーサー（１５）を設ける場合、スペーサー（１５）は、面状体（１３）の周辺部（縁）に設けることが好ましい。
【００４０】
スペーサー（１５）の形状及び大きさに制限はないが、スペーサー（１５）の厚みは、測定対象へ荷重が加わらないようにすること、及び面状体（１３）が測定対象と面接触することを考慮して、測定対象の厚みと同程度が好ましい。
【００４１】
スペーサー（１５）の材質としては、測定対象へ荷重が加わらず、面状体（１３）が測定対象と面接触できれば制限がない。このような材料としては、測定対象と同程度の硬さ｛たとえば、反発弾性率が３０〜８０％（ＪＩＳ  Ｋ６４００−３：２００４）｝をもつものが好ましく、たとえば、スポンジ（硬さを調整したウレタン製スポンジ等）、バネ（硬さを調整したバネ等）及び測定対象と同じ材料等が挙げられる。
【００４２】
スペーサーは、カートリッジ（１０）に設けられてもよいし、後述するように、支持台（２０）に設けられてもよいが、脱着可能に設けられていることが好ましい。脱着可能に設ける手段としては、公知の方法等（たとえば、面ファスナーや磁石等で仮固定する方法や、凹部と凸部とを設けてこれらを勘合する方法等）が適用できる。
【００４３】
水分センサー（１２）を保護するための保護カバー（１６）を設ける場合、保護カバー（１６）としては、水分センサー（１２）を水性液体やホコリ等から保護できれば、形状、大きさ及び材質などに制限はないが、測定対象や供給管の観察等の観点から、透明な材料が好ましく、さらに好ましくは面状体（１３）と同じ材質であることが好ましい。
【００４４】
本発明の水分測定装置には、さらに、カートリッジ（１０）と協同して測定対象を挟持するための支持台（２０）を備えることが好ましい。支持台（２０）を備えると、測定対象へ荷重を印可しないで測定しようとする場合、無荷重にしやすく、一方、測定対象に荷重を印可して測定する場合、均一な荷重を印可しやすいという利点がある。
【００４５】
支持台（２０）には、測定対象を面接触により保持できる面状体（２３）を備えている。面状体（２３）は、カートリッジ（１０）に設けられた面状体（１３）と対をなし、カートリッジ（１０）と協同して測定対象を面接触により挟持する。したがって、面状体（２３）の大きさは、カートリッジ（１０）に設けられた面状体（１３）に対応し、面状体（２３）の形は、面状体（１３）と重なり合うよう形とすることが好ましい。
【００４６】
面状体（２３）の材質には制限がないが、次に説明する温度調整手段（２１）を内蔵する場合、金属製であることが好ましく、さらに好ましくはステンレス製である。
【００４７】
支持台（２０）には、測定対象に対して加熱及び／又は冷却できる温度調整手段（２１）を内蔵していることが好ましい。そして、温度調整手段（２１）は、測定対象を直接的に加熱及び／又は冷却してもよいし、面状体（２３）を加熱及び／又は冷却してから、測定対象を間接的に加熱及び／又は冷却してもよい。熱容量及び熱分布の均一性の観点等から、間接的に加熱及び／又は冷却する方法が好ましい。
【００４８】
温度調整手段（２１）としては、公知のもの等｛ニクロム線ヒーター、ラバーヒーター、赤外線放射ヒーター、ペルチェ素子及び温度調整された熱媒の循環等｝が使用できる。設定可能温度としては、測定対象の温度（℃）が０〜１００となる範囲が好ましく、さらに好ましくは１０〜８０、特に好ましくは２０〜６０、最も好ましくは３０〜５０となる範囲である。
【００４９】
支持台（２０）には、測定対象へカートリッジの荷重が加わらないようにするためのスペーサー（２２）を内蔵していてもよい。支持台（２０）にスペーサー（２２）を設ける場合、スペーサー（２２）は、面状体（２３）の周辺部（縁）に設けることが好ましい。スペーサーは、上述したように、脱着可能に設けられていることが好ましい。
【００５０】
スペーサー（２２）の形状及び大きさに制限はないが、スペーサー（２２）の厚みは、測定対象へ荷重が加わらないようにすること、及び面状体（２３）が測定対象と面接触することを考慮して、測定対象の厚みと同程度が好ましい。
【００５１】
スペーサー（２２）の材質としては、測定対象へ荷重が加わらず、面状体（２３）が測定対象と面接触できれば制限がない。このような材料としては、測定対象と同程度の硬さをもつものが好ましく、たとえば、スポンジ（硬さを調整したウレタン製スポンジ等）、バネ（硬さを調整したバネ等）及び測定対象と同じ材料等が挙げられる。
【００５２】
本発明の水分測定装置には、さらに、供給管（１１）へ水性液体を送液するための定量ポンプ（３０）を備えることが好ましい。定量ポンプ（３０）を備えると、水性液体の供給を自動化しやすく、また、長時間かつ高精度の測定がしやすくなるという利点がある。
【００５３】
定量ポンプ（３０）で水性液体を供給管（１１）へ送液する場合、供給管（１１）内を加圧しないように送液することが好ましい。加圧しないように送液する手段としては、供給管（１１）に圧抜き弁又は圧抜き孔を設ける方法や、加圧制御ポンプ（背圧が発生すると運転を停止するポンプ等）を用いる方法等が適用できる。
【００５４】
定量ポンプ（３０）としては、定量吐出できるポンプであれば制限がないが、定量精度等の観点から、チューブポンプ、ギヤーポンプ及び注射器ポンプが好ましく、さらに好ましくはチューブポンプ及びギヤーポンプである。
【００５５】
定量ポンプ（３０）には、水性液体の供給量を制御するための供給量制御手段（３１）を備えていてもよい。
供給量制御手段（３１）は、経時的、かつ連続的に供給量を変化させることができる供給量制御手段であってもよい。供給量制御手段（３１）としては、公知の方法等（リレー制御及びコンピューター制御等）が適用できる。
【００５６】
本発明の水分測定装置には、さらに、測定対象に荷重を印可するための荷重印可手段（４０）を備えていてもよい。荷重印可手段（４０）を備えていると、測定対象に荷重を印可して測定する場合に便利となる。
【００５７】
荷重印可手段（４０）には、スペーサー（１５、２２）を使用しないでカートリッジ（１０）自身の重さを印可することは含まないが、カートリッジ（１０）におもりを載せてカートリッジ（１０）自身の重さとおもりの重さを印可することは荷重印可手段の一形態である。
荷重印可手段（４０）としては、おもりを使用すること以外に、カートリッジ（１０）と支持台（２０）とで測定対象を締めつける締結手段が含まれる。
【００５８】
荷重印可手段（４０）には、荷重を制御するための荷重制御手段（４１）を内蔵していてもよい。この制御手段（４１）は、経時的、かつ連続的に荷重を変化させることができる荷重制御手段であってもよい。荷重制御手段（４１）としては、公知の方法等（リレー制御及びコンピューター制御等）が適用できる。
【００５９】
本発明の水分測定装置には、さらに、測定データを保存するための保存手段（５０）及び／又は測定データを表示するための表示手段（６０）とを備えていてもよい。
【００６０】
保存手段（５０）を備えていると、データ処理装置（パソコン等）のデータ処理能力を最大限に活用することができる。すなわち、測定データをデータ処理装置に転送してデータ処理しながら測定すると、著しく処理能力の高いデータ処理装置が必要となる。したがって、測定データを保存手段（５０）に保存しておき、後でデータ処理することが水分測定装置の大きさやコストの観点等から有利となる。
【００６１】
表示手段（６０）を備えていると、測定中にモニターできるため、不足の事態（測定データに異常が認められる等）に対処しやすくなる。特に、測定データを保存手段（５０）に保存する場合、表示手段（６０）を備えることが望ましい。
【００６２】
測定データには、水分センサー（１２）から得られる信号｛水分センサーの数と同じ数存在する。｝の他に、測定対象に対して加熱及び／又は冷却できる温度調整手段（２１）を内蔵する場合、温度調整手段（２１）からの信号、水性液体の供給量を制御するための供給量制御手段（３１）を備えている場合、供給量制御手段（３１）からの信号、及び／又は荷重を制御するための荷重制御手段（４１）を備えている場合、荷重制御手段（４１）からの信号等が含まれる。
【００６３】
保存手段（５０）としては、公知の保存手段等｛ＲＡＭメモリー、ハードディスクメモリー、ＵＳＢメモリー、ＳＤメモリー、ＤＶＤ−Ｒ、ＤＶＤ−ＲＡＭ、ＤＶＤ−ＲＷ、ＣＤ−Ｒ、ＣＤ−ＲＷ、ＭＤ、ＭＯ及びフレキシブルディスク（ＦＤ）等｝が適用できる。
【００６４】
表示手段（６０）としては、公知の表示手段等｛液晶ディスプレー、ＬＥＤディスプレー、表面伝導型電子放出素子ディスプレー（ＳＥＤ）及びブラウン管ディスプレー等｝が適用できる。
【００６５】
本発明の水分測定装置は、測定対象の表面へ水性液体を供給して測定対象の表面に残存する水分を測定するために、広く適用できる測定装置であるが、測定対象に含有させる吸水性樹脂の種類を決定する工程を含む吸水性樹脂の製造方法に適用することが好ましい。
【００６６】
測定対象に含有させる吸水性樹脂の種類を決定する工程とは、既存の吸水性樹脂や新規の吸水性樹脂等を原料として調製された測定対象｛水性液体を吸液する吸液性物品｝を測定し、測定対象の表面に残存する水分が少なかった吸水性樹脂を選び出す工程を意味する。そして、この吸水性樹脂の製造方法とは、本発明の水分測定装置を用いて選択された吸水性樹脂を、既存の方法又は新規の方法と同様にして、製造する方法を意味する。したがって、この吸水性樹脂の製造方法には、本発明の水分測定装置を用いない製造方法は含まれない。
【００６７】
既存の吸水性樹脂及び新規の吸水性樹脂としては、サンウェットシリーズ（サンダイヤポリマー株式会社）、アクアパールシリーズ（サンダイヤポリマー株式会社）及びサンフレッシュシリーズ（三洋化成工業株式会社）等や、以下の公知文献に記載されたもの等が挙げられる。
【００６８】
１．特公昭５３−４６１９９号公報又は特公昭５３−４６２００号公報等に記載のデンプン−アクリル酸（塩）グラフト架橋共重合体。
２．特開昭５５−１３３４１３号公報等に記載の水溶液重合（断熱重合、薄膜重合又は噴霧重合等）により得られる架橋ポリアクリル酸（塩）。
３．特公昭５４−３０７１０号公報、特開昭５６−２６９０９号公報又は特開平１１−５８０８号公報等に記載の逆相懸濁重合により得られる架橋ポリアクリル酸（塩）。
４．特開昭５２−１４６８９号公報又は特開昭５２−２７４５５号公報等に記載のビニルエステルと不飽和カルボン酸又はその誘導体との共重合体のケン化物。
５．特開昭５８−２３１２号公報又は特開昭６１−３６３０９号公報等に記載のアクリル酸（塩）とスルホ（スルホネート）基含有モノマーとの共重合体。
【００６９】
６．米国特許第４３８９５１３号等に記載のイソブチレン−無水マレイン酸共重合架橋体のケン化物。
７．特開昭４６−４３９９５号公報等に記載のデンプン−アクリロニトリル共重合体の加水分解物。
８．米国特許第４６５０７１６号等に記載の架橋カルボキシメチルセルロース。
９．高分子ゲルの最新動向（シーエムシー出版、２００４年発行）等に記載のポリアルキレン（エチレン、プロピレン等）グリコール架橋体。
１０．高分子ゲルの最新動向（シーエムシー出版、２００４年発行）等に記載のポリビニルアルコール架橋体。
【００７０】
１１．特開２００３−４８９９７号公報に記載のデンプン放射線架橋体。
１２．特開平９−８５０８０号公報に記載のカルボキシル基含有架橋セルロース。
１３．特開平１０−２５１４０２号公報に記載のポリアミノ酸放射線架橋体。
１４．特開２００２−１７９７７０号公報に記載の架橋ポリアスパラギン酸。
１５．特開２００１−１２０９９２号公報に記載の多糖類の多価金属イオン架橋体。
【００７１】
１６．特開２００３−０５２７４２号公報、特開２００３−０８２２５０号公報、特開２００３−１６５８８３号公報、特開２００３−１７６４２１号公報、特開２００３−１８３５２８号公報、特開２００３−１９２７３２号公報、特開２００３−２２５５６５号公報、特開２００３−２３８６９６号公報、特開２００３−３３５９７０号公報、特開２００４−０９１６７３号公報、特開２００４−１２１４００号公報、特開２００４−１２３８３５号公報、特開２００５−０７５９８２号公報、特開２００５−０９５７５９号公報、特開２００５−０９７５６９号公報、特開２００５−１８６０１５号公報、特開２００５−１８６０１６号公報、特開２００５−２４７９３１号公報、特開２００６−０５７０４０号公報、特開２００６−１１０５４５号公報、特開２００６−１２２７３７号公報、特開２００６−１３１７６７号公報、特開２００６−１６０７７４号公報、特開２００６−２０６７７７号公報、特開２００６−２１９６６１号公報、特開２００７−０２４４９６号公報等に記載された高性能吸水性樹脂｛架橋ポリアクリル酸（塩）｝。
【００７２】
本発明の水分測定装置は、測定対象に含有させる吸水性樹脂の種類及び／又は含有量を決定する工程を含む吸液性物品の製造方法や、測定対象の構造並びに／又は原材料の種類及び／若しくは含有量を決定する工程を含む吸液性物品の製造方法に適用することが好ましい。
【００７３】
測定対象に含有させる吸水性樹脂の種類及び／又は含有量を決定する工程とは、既存の吸水性樹脂や新規の吸水性樹脂等を原料として、必要により含有量を変化させて調製された測定対象｛水性液体を吸液する吸液性物品｝を測定し、測定対象の表面に残存する水分が少なかった吸水性樹脂及び／又はこの含有量を選び出す工程を意味する。
測定対象の構造並びに／又は原材料の種類及び／若しくは含有量を決定する工程とは、既存の吸液性物品や新規の吸液性物品について、構造、原材料及びこの含有量を変化させて変化させて調製された測定対象｛水性液体を吸液する吸液性物品｝を測定し、測定対象の表面に残存する水分が少なかった吸液性物品を選び出す工程を意味する。そして、この吸液性物品の製造方法とは、本発明の水分測定装置を用いて選択された吸液性物品を、既存の方法又は新規の方法と同様にして、製造する方法を意味する。したがって、この吸液性物品の製造方法には、本発明の水分測定装置を用いない製造方法は含まれない。
【００７４】
以下、実施例により、本発明の構成及び使用方法等をさらに詳細に説明する。なお、特記しない限り、部は重量部を、％は重量％を意味する。
【実施例】
【００７５】
＜実施例１＞
１．水分測定装置（Ａ）
水分測定装置（Ａ）は、面状体（１３ａ）、供給管（１１ａ）１個、水分センサー（１２ａ）４個及び保護カバー（１６ａ）を備えたカートリッジ（１０ａ）と、
温度調整手段（２１ａ）、スペーサー（２２ａ）及び面状体（２３ａ）を備えた支持台（２０ａ）と、
供給量制御手段（３１ａ）を備えた定量ポンプ（３０ａ）と、
荷重印可手段（４０ａ）と、
保存手段（５０ａ）と、
表示手段（６０ａ）と、
制御ボックス（７０ａ）とを備えている（図１及び２参照）。
【００７６】
１−１．カートリッジ（１０ａ）
面状体（１３ａ）｛３０ｃｍ×６０ｃｍ×厚み０．５ｃｍ、無色透明アクリル樹脂製、３０ｃｍ×６０ｃｍの下面が測定対象への接触面となる｝のほぼ中央に供給口（１４ａ）｛円柱孔の円柱軸に対して垂直方向の断面積が４．９ｃｍ２である円柱孔、円柱軸が接触面に対して垂直となっている。｝を設けてある。
【００７７】
そして、この供給口（１４ａ）と、供給管（１１ａ）｛内径２．５ｃｍ（外径３ｃｍ）×長さ４０ｃｍ、アクリル樹脂製の円柱管｝とは、円柱孔の円柱軸と、円柱管の円柱軸とが重なるように接続されている。
【００７８】
また、水分センサー（１２ａ）｛有限会社オーテック、２波長水分センサー、３ｃｍ×７ｃｍ×高さ７．４ｃｍ｝は、発光ダイオードから光を測定対象に照射し、測定対象からの反射光のうち、水に吸収されない１．３μｍの参照光と、水に吸収される１．４５μｍの測定光を同時に測定し、外乱要因を除去し、高精度に水分を測定できるものである。
【００７９】
４個の水分センサーのうち、１個の水分センサー（１２ａ１）は、面状体（１３ａ）の接触面とは反対側の面において、供給口（１４ａ）の中央部から長手方向｛供給口（１４ａ）の中央部を通り面状体（１０ａ）の６０ｃｍの端片と平行な方向｝に１０ｃｍの箇所｛水分センサーの底面中央がこの位置になる。｝にネジ止めされている。
【００８０】
また、４個の水分センサーのうち、他１個の水分センサー（１２ａ２）は、供給口（１４ａ）に対して水分センサー（１２ａ１）とは反対側に、同様にして、供給口（１４ａ）の中央部から長手方向に１０ｃｍの箇所にネジ止めされている。
【００８１】
また、４個の水分センサーのうち、他１個の水分センサー（１２ａ３）は、供給口（１４ａ）に対して水分センサー（１２ａ１）とは反対側に、同様にして、供給口（１４ａ）の中央部から長手方向に２０ｃｍの箇所にネジ止めされている。
【００８２】
また、４個の水分センサーのうち、他１個の水分センサー（１２ａ４）は、供給口（１４ａ）に対して水分センサー（１２ａ１）とは反対側に、供給口（１４ａ）の端と水分センサー（１２ａ４）の底面端が接するようにして、長手方向の水分センサー（１２ａ１）の位置とは反対側にネジ止めされている。
【００８３】
また、水分センサー（１２ａ）からの信号を処理するためのデータ処理装置は、温度調整手段（２１ａ）、供給量制御手段（３１ａ）、保存手段（５０ａ）及び表示手段（６０ａ）と共に制御ボックスに収められている。
【００８４】
保護カバー（１６ａ）は、４個の水分センサー（１２ａ）と、面状体（１３ａ）を覆い被せることができる直方体のカバー｛３０ｃｍ×６０ｃｍ×高さ８．５ｃｍ、無色透明アクリル樹脂製、天板及び側板から構成され、底板はない。天板には供給管（１１ａ）が貫通できる孔が設けられている。｝から構成され、面状体（１３ａ）に円柱スペーサー｛直径２ｃｍ×高さ７．５ｃｍ、アクリル樹脂製｝８個を介してネジ止めされている。
【００８５】
１−２．支持台（２０ａ）
面状体（２３ａ）｛３０ｃｍ×６０ｃｍ×厚み０．５ｃｍ、アルミニウム製｝１枚、側板｛１０ｃｍ×６０ｃｍ×厚み０．５ｃｍ、ステンレス製｝２枚、側板｛１０ｃｍ×６０ｃｍ×厚み０．５ｃｍ、ステンレス製｝２枚及び底板｛３０ｃｍ×６０ｃｍ×厚み０．５ｃｍ、ステンレス製｝１枚から構成され、面状体（２３ａ）の接触面とは反対側の下面にラバーヒーター｛温度調整手段（２１ａ）のヒーター、２５ｃｍ×５５ｃｍ×厚み０．５ｃｍ、１００Ｖ、２００ワット｝が貼設され、ラバーヒーターと面状体の間に温度計が設置されている。
【００８６】
また、ラバーヒーターへの信号及び温度計からの信号を処理するためのデータ処理装置｛温度調整手段（２１ａ）｝は、水分センサー（１２ａ）からの信号を処理するためのデータ処理装置、供給量制御手段（３１ａ）、保存手段（５０ａ）及び表示手段（６０ａ）と共に制御ボックスに収められている。
【００８７】
また、スペーサー（２２ａ）は、測定対象へカートリッジ（１０ａ）の荷重が加わらないようにするためのものであり、支持台（２０ａ）に載せることができだけの構造である（水平方向の力が加わるとズレてしまう。）。このスペーサー（２２ａ）は、硬質ポリウレタン板｛３０ｃｍ×６０ｃｍ×厚み１ｃｍ、反発弾性率５０％（ＪＩＳ  Ｋ６４００−３：２００４）｝の中央部分｛２８ｃｍ×５８ｃｍ｝をくり抜いた形状を持っている。
【００８８】
１−３．定量ポンプ（３０ａ）
定量ポンプ（３０ａ）は、チューブポンプ｛コールパーマー社製マスターフレックスポンプヘッド７５１８−１０、吐出量０．３６〜２３００ｍｌ／ｍｉｎ、チューブの内径４．８ｍｍ、外径８．１ｍｍ｝を用い、水性液体のストックタンク｛２リットル、塩化ビニル製、保温ジャケット付き、ニクロム線ヒーター及びＰＩＤ温度制御機能付き（２０〜６０℃）｝と、供給管（１１ａ）との間に設置される。
【００８９】
また、定量ポンプ（３０ａ）への信号を処理するための供給量制御手段（３１ａ）は、水分センサー（１２ａ）からの信号を処理するためのデータ処理装置、温度調整手段（２１ａ）、保存手段（５０ａ）及び表示手段（６０ａ）と共に制御ボックスに収められている。
【００９０】
１−４．荷重印可手段（４０ａ）
荷重印可手段（４０ａ）としては、測定対象に荷重を印可するためのおもり｛５、３、２、１ｋｇの４種類及びこれらを適宜組み合わせることができる。｝を用意した。
【００９１】
なお、手動により、おもりをカートリッジ（１０ａ）の保護カバー（１６ａ）上に載せることにより、加重の印可が達成できるため、この実施形態｛水分測定装置（Ａ）｝には、荷重を制御するための荷重制御手段（４１ａ）を備えてはいない。
【００９２】
１−５．保存手段（５０ａ）
測定データを保存するための保存手段（５０ａ）は、水分センサー（１２ａ）からの信号を処理するためのデータ処理装置、温度調整手段（２１ａ）、供給量制御手段（３１ａ）及び表示手段（６０ａ）と共に制御ボックスに収められている。
【００９３】
１−６．表示手段（６０ａ）
測定データを表示するための表示手段（６０ａ）は、水分センサー（１２ａ）からの信号を処理するためのデータ処理装置、温度調整手段（２１ａ）、供給量制御手段（３１ａ）及び保存手段（５０ａ）と共に制御ボックスに収められている。
【００９４】
１−７．制御ボックス（７０ａ）
制御ボックス（７０ａ）には、水分センサー（１２ａ）からの信号を処理するためのデータ処理装置、温度調整手段（２１ａ）、供給量制御手段（３１ａ）、保存手段（５０ａ）及び表示手段（６０ａ）が収められている。
制御ボックス（７０ａ）は、シーケンス制御部｛温度調整手段（２１ａ）及び供給量制御手段（３１ａ）｝と、データ収集・保存部｛水分センサー（１２ａ）からの信号を処理するためのデータ処理装置及び保存手段（５０ａ）｝と、データ表示部｛表示手段（６０ａ）｝とを含む。
【００９５】
シーケンス制御部は、あらかじめ定められた順序又は手続きに従って制御の各段階を逐次進めていく制御機能をもち、以下の制御ができる。
＜１＞支持台（２０ａ）が備える面状体（２３ａ）の接触面｛測定対象と接触する面｝の温度を３５〜４０℃の範囲で、一定に保つこと又は経時的に温度変化させること（連続的に温度変化）｛温度調整手段（２１ａ）｝。
【００９６】
＜２＞６０〜６００ｍｌ／ｍｉｎの範囲で、一定流量で、又は経時的に流量を変化させて、水性液体を供給管（１１ａ）に供給すること｛供給量制御手段（３１ａ）｝。たとえば、一定流量で一定量を供給し、一定時間経過後に一定流量で一定量を供給し、さらに一定時間経過後に一定流量で一定量を供給し、さらに一定時間経過後に一定流量で一定量を供給する一連の制御を繰り返し行うことができ、供給量・時間を上記の範囲内で自由に設定できる。
【００９７】
データ収集・保存部は、あらかじめ定められた手続きに従って水分センサー（１２ａ）からの信号を収集し、データ処理やデータ保存する機能をもち、以下の処理ができる。
＜３＞水分センサー（１２ａ）｛２波長水分センサー｝からの信号｛水に吸収されない１．３μｍの参照光の反射強度、水に吸収される１．４５μｍの測定光の反射強度｝を収集し、これらの反射強度の比（ｍＶ）に変換し、出力する。
【００９８】
＜４＞標準０％測定対象（水分０％）を測定して得た反射強度の比を水分０％とし、標準１００％測定対象（水分１００％）を測定して得た反射強度の比を水分１００％として、検量線（反射強度の比−水分）を作成し、保存する。
【００９９】
＜５＞測定対象を測定して得た反射強度の比と、検量線（反射強度の比−水分）データとを比較演算して得た水分データ（ｍＶ）を、時間データと共に、ＲＡＭにデータ保存する。
【０１００】
＜６＞水分データ（ｍＶ）を、時間データと共に、表示手段（６０ａ）｛１０ｃｍ×１０ｃｍの液晶カラーディスプレー｝に表示する｛次の＜７＞のようにパソコンに出力して、パソコンのディスプレーで表示することも可能｝。
【０１０１】
＜７＞水分データ（ｍＶ）を、時間データと共に、ＲＳ−２３２Ｃ、Ａ／Ｄコンバーターを経由して出力する｛パソコンのＵＳＢ端子からデジタル入力でき、汎用ソフトでデータ処理可能。｝。
【０１０２】
２．水分測定装置（Ａ）を用いた測定対象の測定
２−１．測定対象１〜５を次のように調製した。
＜測定対象１＞
フラッフパルプ１００部と、吸水性樹脂｛サンウェットＩＭ−８６０｝２００部とを気流型混合装置｛株式会社オーテック｝で混合した混合物を坪量４００ｇ／ｍ２となるようにして、吸水紙｛２０ｃｍ×４０ｃｍ、坪量１５．５ｇ／ｍ２｝上に均一に積層した後、さらに吸水紙２枚で挟んでから５Ｋｇ／ｃｍ２の圧力で３０秒間プレスし、吸収体を得た。この吸収体を１４ｃｍ×３６ｃｍの長方形に裁断し裁断吸収体１を得た。さらに、ポリエチレンシート｛１４ｃｍ×３６ｃｍ、厚み３００μｍ｝とポリエチレン不織布｛１４ｃｍ×３６ｃｍ、坪量２０ｇ／ｍ２）で、裁断吸収体１を夾んで、測定対象１｛紙おむつ｝を得た。
【０１０３】
＜測定対象２＞
吸水性樹脂を２００部から１００部に変更したこと以外、測定対象１と同様にして、測定対象２｛紙おむつ｝を得た。
【０１０４】
＜測定対象３＞
吸水性樹脂を２００部から５０部に変更したこと以外、測定対象１と同様にして。測定対象３｛紙おむつ｝を得た。
【０１０５】
＜測定対象４＞
吸水性樹脂｛サンウェットＩＭ−８６０｝を吸水性樹脂｛サンウェットＩＭ−９３０｝に変更したこと以外、測定対象２と同様にして、測定対象４｛紙おむつ｝を得た。
【０１０６】
２−２．測定
２−２−１．校正｛検量線の作成、保存｝
測定対象１を用いて、以下のようにして検量線を作成し、保存した。
３７℃に温度調整した人工尿（塩化カリウム０．０３％、硫酸マグネシウム０．０８％、塩化ナトリウム０．８％及び脱イオン水９９．０９％）に、測定対象１を１時間浸漬して標準１００％測定対象１（水分１００％）を得た。引き続き、標準１００％測定対象１を３７℃に温度調整した支持台（２０ａ）の面状体（２３ａ）上に設置したスペーサー（２２ａ）に挿入した後、カートリッジ（１０ａ）を載せて、水分を測定して反射強度の比（水分１００％）を得た。
【０１０７】
一方、測定対象１を１０５℃で１２０分間乾燥した後、３７℃のデシケーター内で冷却して標準０％測定対象１を得た。引き続き、標準０％測定対象１を３７℃に温度調整した支持台（２０ａ）の面状体（２３ａ）上に設置したスペーサー（２２ａ）に挿入したた後、カートリッジ（１０ａ）を載せて、水分を測定して反射強度の比（水分０％）を得た。
【０１０８】
そして、これらの反射強度の比から、検量線（反射強度の比−水分）を作成し、制御ボックス（７０ａ）内の保存手段（５０ａ）に保存した。
【０１０９】
２−２−２．水分測定（無荷重下）
３７℃×６０％ＲＨの恒温恒湿室に４８時間放置しておいた測定対象１を、３７℃に温度調整した支持台（２０ａ）の面状体（２３ａ）上に設置したスペーサー（２２ａ）に挿入した後、カートリッジ（１０ａ）を載せた。引き続き、供給量制御手段（３１ａ）により６００ｍｌ／ｍｉｎの流量で３７℃に温度調整した人工尿を供給管（１１ａ）に供給開始すると共に（１回目）、水分センサー（１２ａ）｛４個のセンサー；１２ａ１〜１２ａ４｝からのデータ収集を開始した。人工尿は８秒後に供給を中断したが、そのままデータ収集を継続し、供給中断から２９分５２秒後に６００ｍｌ／ｍｉｎの流量で人工尿を８秒間供給管（１１ａ）に供給し（２回目）、さらに２９分５２秒後に６００ｍｌ／ｍｉｎの流量で人工尿を８秒間供給管（１１ａ）に供給した（３回目）。引き続きデータ収集を２９分５２秒間継続した。
【０１１０】
データ収集の間、得られる反射強度の比と検量線とを比較演算して得た水分データ（ｍＶ）を時間データと共に表示手段（６０ａ）に表示すると同時に、保存手段（５０ａ）にデータ保存した。なお、測定対象２〜４についても、同様に測定し、データ保存した。
【０１１１】
保存したデータを表計算ソフト｛マイクロソフトオフィスエクセル（Microsoft Office Excel）、マイクロソフトコーポレーション（Microsoft Corporation）｝へ転送し、時間−水分のグラフを描いた｛図５〜９｝。そして、表計算ソフトのマクロ機能を用いて、ベースライン（水分０％でＹ軸に直交する垂線＝Ｘ軸）と、０分の点でＸ軸に直交する垂線（Ｙ軸）と、時間３０分の点でＸ軸に直交する垂線と、グラフとで囲まれる面積（１回目）を算出した。また、同様にして、ベースラインと、３０分の点でＸ軸に直交する垂線と、６０分の点でＸ軸に直交する垂線と、グラフとで囲まれる面積（２回目）を算出した。また、同様にして、ベースラインと、６０分の点でＸ軸に直交する垂線と、９０分の点でＸ軸に直交する垂線と、グラフとで囲まれる面積（３回目）を算出した。得られた面積をセンサーごとに表１〜４にまとめた。
【０１１２】
２−２−３．表面ドライ感（無荷重下）
水分測了定を終した測定対象１について、測定対象の表面を１０人のパネラー｛男性５人、女性５人｝が、次の基準で指触評価してもらい、１０人の評価結果の合計点（表面ドライ感）を得た。また、測定対象２〜４についても、同様に評価し、これらの評価データを表１〜４に示した。
３：測定対象の全体に湿りを全く感じない（不快感を覚えない状態）
２：測定対象が部分的にしめった感じ（不快感を覚える状態）
１：測定対象全体が湿りを超えて濡れた状態
【０１１３】
【表１】
2008249609.tif 000003
【０１１４】
【表２】
2008249609.tif 000004
【０１１５】
【表３】
2008249609.tif 000005
【０１１６】
【表４】
2008249609.tif 000006
【０１１７】
センサー（１２ａ１）から得られた面積と、表面ドライ感との関係｛面積vs.表面ドライ感｝を図１０に示す。
【０１１８】
＜実施例２＞
１．水分測定装置（Ｂ）
水分測定装置（Ｂ）は、面状体（１３ｂ）、供給管（１１ｂ）１個、水分センサー（１２ｂ）２個及び保護カバー（１６ｂ）を備えたカートリッジ（１０ｂ）と、
温度調整手段（２１ｂ）、スペーサー（２２ｂ）及び面状体（２３ｂ）を備えた支持台（２０ｂ）と、
供給量制御手段（３１ｂ）を備えた定量ポンプ（３０ｂ）と、
保存手段（５０ｂ）と、
表示手段（６０ｂ）と、
制御ボックス（７０ｂ）とを備えている（図３及び４参照）。
【０１１９】
１−１．カートリッジ（１０ｂ）
カートリッジ（１０ｂ）のベースとなる面状体（１３ｂ）は、直径１６ｃｍの円柱管｛長さ１６ｃｍ、肉厚０．５ｃｍ、無色透明アクリル樹脂製、円柱管の外側の面が面状体（１３ｂ）の接触面の一部となる。｝を１／３となるように軸方向に切断した半円柱管（１／３円柱管）の切断部分２カ所に、それぞれ、樹脂板｛１６ｃｍ×１２ｃｍ×厚み０．５ｃｍ、無色透明アクリル樹脂製｝の１枚ずつを接着させた放物柱面状（厳密には放物柱面とは異なる。）を有する（図３及び４参照）。そして、供給口（１４ｂ）は、仮想線｛この面状体（１３ｂ）の内面｛半円柱管の内側に連続する面、すなわち、面状体（１３ｂ）の接触面とは反対側の面｝において、半円柱管の切断部分（切断線）から最も遠くに位置する仮の直線｝から３ｃｍ離れ、かつ、半円柱管の軸方向の中央に設けられている。この供給口（１４ｂ）は、円柱孔の形状を有し、円柱孔の円柱軸が垂直軸（重力軸）に対して３０°となるように設けられ、円柱孔の円柱軸に対して垂直方向の断面積が４．９ｃｍ２である。
【０１２０】
そして、この供給口（１４ｂ）と、供給管（１１ｂ）｛内径２．５ｃｍ（外径３ｃｍ）×長さ４０ｃｍ、アクリル樹脂製の円柱管｝とは、円柱孔の円柱軸と、円柱管の円柱軸とが重なるように接続されている。
【０１２１】
また、水分センサー（１２ｂ）｛有限会社オーテック、２波長水分センサー、３ｃｍ×７ｃｍ×高さ７．４ｃｍ｝は、発光ダイオードから光を測定対象に照射し、測定対象からの反射光のうち、水に吸収されない１．３μｍの参照光と、水に吸収される１．４５μｍの測定光を同時に測定し、外乱要因を除去し、高精度に水分を測定できるものである。
【０１２２】
２個の水分センサーのうち、１個の水分センサー（１２ｂ１）は、面状体（１３ｂ）の内面において、仮想線｛面状体（１３ｂ）の内面において、半円柱管の切断部分（切断線）から最も遠い仮の直線｝上、かつ、半円柱管の軸方向の中央｛水分センサーの底面中央がこの位置になる。｝にネジ止めされている。また、２個の水分センサーのうち、他１個の水分センサー（１２ｂ２）は、供給口（１４ｂ）に対して水分センサー（１２ｂ１）とは反対側に、同様にして、供給口（１４ｂ）の中央部から３ｃｍ離れ、かつ、半円柱管の軸方向の中央｛水分センサーの底面中央がこの位置になる。｝にネジ止めされている。
【０１２３】
また、水分センサー（１２ｂ）からの信号を処理するためのデータ処理装置は、温度調整手段（２１ｂ）、供給量制御手段（３１ｂ）、保存手段（５０ｂ）及び表示手段（６０ｂ）と共に制御ボックスに収められている。
【０１２４】
保護カバー（１６ｂ）は、２個の水分センサー（１２ｂ）と、面状体（１３ｂ）を覆い被せることができる四角形板｛１６ｃｍ×２０ｃｍ×厚さ０．５ｃｍ、無色透明アクリル樹脂製、供給管（１１ｂ）が貫通できる孔が設けられている。｝と、放物線状板｛面状体（１３ｂ）の放物柱面状（厳密には放物柱面とは異なる。）に沿った放物線状の線（厳密には放物線とは異なる。）及び直線で囲まれた形の板、厚さ０．５ｃｍ、無色透明アクリル樹脂製｝２枚とから構成されている。そして、放物線状板は、面状体（１３ｂ）の放物柱面状に対応させて接着され、放物線状板２枚及び面状体（１３ｂ）によって、四角形の開放部を持つ放物面状容器を構成している。また、四角形板は、この四角形の開放部を覆うようにネジ止めされている。
【０１２５】
１−２．支持台（２０ｂ）
面状体（１３ｂ）の接触面の全てと面接触できる面状体（２３ｂ）｛１８ｃｍ×４７ｃｍ×厚み０．５ｃｍ、ステンレス製、放物柱面状｝１枚、側板｛１８ｃｍ×２２ｃｍ×厚み０．５ｃｍ、ステンレス製｝２枚、側板｛２８ｃｍ×２２ｃｍの四角形板から放物線状板｛面状体（１３ｂ）の放物柱面状の線（厳密には放物線とは異なる。）及び直線で囲まれた形に対応する板、厚み０．５ｃｍ、ステンレス製｝２枚、天板｛１８ｃｍ×３ｃｍ×厚み０．５ｃｍ｝２枚及び底板｛１８ｃｍ×２８ｃｍ×厚み０．５ｃｍ、ステンレス製｝１枚から構成される。また、面状体（２３ｂ）の裏側｛接触面とならない面側｝には、ニクロム線ヒーター｛温度調整手段（２１ｂ）のヒーター、１００Ｖ、２００ワット×６本｝が埋設され、面状体（２３ｂ）の裏側に温度計が設置されている。
【０１２６】
また、ニクロム線ヒーターへの信号及び温度計からの信号を処理するためのデータ処理装置｛温度調整手段（２１ｂ）｝は、水分センサー（１２ｂ）からの信号を処理するためのデータ処理装置、供給量制御手段（３１ｂ）、保存手段（５０ｂ）及び表示手段（６０ｂ）と共に制御ボックスに収められている。
【０１２７】
また、スペーサー（２２ｂ）は、測定対象へカートリッジ（１０ｂ）の荷重が加わらないようにするためのものであり、支持台（２０ｂ）の面状体（２３ｂ）に載せることができだけの構造である（水平方向の力が加わるとズレてしまう。）。このスペーサー（２２ｂ）は、硬質ポリウレタン棒｛１８ｃｍ×２ｃｍ×厚み１ｃｍ、反発弾性率５０％｝の２本から構成される。そして、スペーサー（２２ｂ）は、面状体（１３ｂ）の端部と、面状体（２３ｂ）の端部との間に挟持することにより、その機能を発揮する。
【０１２８】
１−３．定量ポンプ（３０ｂ）
定量ポンプ（３０ｂ）は、チューブポンプ｛コールパーマー社製マスターフレックスポンプヘッド７５１８−１０、吐出量０．３６〜２３００ｍｌ／ｍｉｎ、チューブの内径４．８ｍｍ、外径８．１ｍｍ｝を用い、水性液体のストックタンク｛２リットル、塩化ビニル製、保温ジャケット付き、ニクロム線ヒーター及びＰＩＤ温度制御機能付き（２０〜６０℃）｝と、供給管（１１ｂ）との間に設置される。
【０１２９】
また、定量ポンプ（３０ｂ）への信号を処理するための供給量制御手段（３１ｂ）は、水分センサー（１２ｂ）からの信号を処理するためのデータ処理装置、温度調整手段（２１ｂ）、保存手段（５０ｂ）及び表示手段（６０ｂ）と共に制御ボックスに収められている。
【０１３０】
１−４．保存手段（５０ｂ）
測定データを保存するための保存手段（５０ｂ）は、水分センサー（１２ｂ）からの信号を処理するためのデータ処理装置、温度調整手段（２１ｂ）、供給量制御手段（３１ｂ）及び表示手段（６０ｂ）と共に制御ボックスに収められている。
【０１３１】
１−５．表示手段（６０ｂ）
測定データを表示するための表示手段（６０ｂ）は、水分センサー（１２ｂ）からの信号を処理するためのデータ処理装置、温度調整手段（２１ｂ）、供給量制御手段（３１ｂ）及び保存手段（５０ｂ）と共に制御ボックスに収められている。
【０１３２】
１−６．制御ボックス（７０ｂ）
制御ボックス（７０ｂ）には、水分センサー（１２ｂ）からの信号を処理するためのデータ処理装置、温度調整手段（２１ｂ）、供給量制御手段（３１ｂ）保存手段（５０ｂ）及び表示手段（６０ｂ）が収められている。
制御ボックス（７０ｂ）は、シーケンス制御部｛温度調整手段（２１ｂ）、供給量制御手段（３１ｂ）｝と、データ収集・保存部｛水分センサー（１２ｂ）からの信号を処理するためのデータ処理装置及び保存手段（５０ｂ）｝と、データ表示部｛表示手段（６０ｂ）｝とを含む。
【０１３３】
シーケンス制御部は、あらかじめ定められた順序又は手続きに従って制御の各段階を逐次進めていく制御機能をもち、以下の制御ができる。
＜１＞支持台（２０ｂ）が備える面状体（２３ｂ）の接触面｛測定対象と接触する面｝の温度を３５〜４０℃の範囲で、一定に保つこと又は経時的に温度変化させること（連続的に温度変化）｛温度調整手段（２１ｂ）｝。
【０１３４】
＜２＞６０〜６００ｍｌ／ｍｉｎの範囲で、一定流量で、又は経時的に流量を変化させて、水性液体を供給管（１１ｂ）に供給すること｛供給量制御手段（３１ｂ）｝。たとえば、一定流量で一定量を供給し、一定時間経過後に一定流量で一定量を供給し、さらに一定時間経過後に一定流量で一定量を供給し、さらに一定時間経過後に一定流量で一定量を供給する一連の制御を繰り返し行うことができ、供給量・時間を上記の範囲内で自由に設定できる。
【０１３５】
データ収集・保存部は、あらかじめ定められた手続きに従って水分センサー（１２ｂ）からの信号を収集し、データ処理やデータ保存する機能をもち、以下の処理ができる。
＜３＞水分センサー（１２ｂ）｛２波長水分センサー｝からの信号｛水に吸収されない１．３μｍの参照光の反射強度、水に吸収される１．４５μｍの測定光の反射強度｝を収集し、これらの反射強度の比（ｍＶ）に変換し、出力する。
【０１３６】
＜４＞標準０％測定対象（水分０％）を測定して得た反射強度の比を水分０％とし、標準１００％測定対象（水分１００％）を測定して得た反射強度の比を水分１００％として、検量線（反射強度の比−水分）を作成し、保存する。
【０１３７】
＜５＞測定対象を測定して得た反射強度の比と、検量線（反射強度の比−水分）データとを比較演算して得た水分データ（ｍＶ）を、時間データと共に、ＲＡＭにデータ保存する。
【０１３８】
＜６＞水分データ（ｍＶ）を、時間データと共に、表示手段（６０ｂ）｛１０ｃｍ×１０ｃｍの液晶カラーディスプレー｝に表示する｛次の＜７＞のようにパソコンに出力して、パソコンのディスプレーで表示することも可能｝。
【０１３９】
＜７＞水分データ（ｍＶ）を、時間データと共に、ＲＳ−２３２Ｃ、Ａ／Ｄコンバーターを経由して出力する｛パソコンのＵＳＢ端子からデジタル入力でき、汎用ソフトでデータ処理可能。｝。
【０１４０】
２．水分測定装置（Ｂ）を用いた測定対象の測定
２−１．測定対象は、実施例１で調製したものを用いた。
２−２．測定
２−２−１．校正｛検量線の作成、保存｝
測定対象１を用いて、以下のようにして検量線を作成し、保存した。
３７℃に温度調整した人工尿（塩化カリウム０．０３％、硫酸マグネシウム０．０８％、塩化ナトリウム０．８％及び脱イオン水９９．０９％）に、測定対象１を１時間浸漬して標準１００％測定対象１（水分１００％）を得た。引き続き、標準１００％測定対象１を３７℃に温度調整した支持台（２０ｂ）に広げ、支持台（２０ｂ）の面状体（２３ｂ）の端部にスペーサー（２２ｂ）の２本をそれぞれ設置した後、カートリッジ（１０ｂ）を載せて、水分を測定して反射強度の比（水分１００％）を得た。
【０１４１】
一方、測定対象１を１０５℃で１２０分間乾燥した後、３７℃のデシケーター内で冷却して標準０％測定対象１を得た。引き続き、標準０％測定対象１について、上記と同様にして、水分を測定して反射強度の比（水分０％）を得た。
【０１４２】
そして、これらの反射強度の比から、検量線（反射強度の比−水分）を作成し、制御ボックス（７０ｂ）内の保存手段（５０ｂ）に保存した。
【０１４３】
２−２−２．水分測定（無荷重下）
３７℃×６０％ＲＨの恒温恒湿室に４８時間放置しておいた測定対象１を３７℃に温度調整した支持台（２０ｂ）に広げ、支持台（２０ｂ）の面状体（２３ｂ）の端部にスペーサー（２２ｂ）の２本をそれぞれ設置した後、カートリッジ（１０ｂ）を載せた。引き続き、供給量制御手段（３１ｂ）により６００ｍｌ／ｍｉｎの流量で３７℃に温度調整した人工尿を供給管（１１ｂ）に供給開始すると共に（１回目）、水分センサー（１２ｂ）｛２個のセンサー；１２ｂ１〜１２ｂ２｝からのデータ収集を開始した。人工尿は８秒後に供給を中断したが、そのままデータ収集を継続し、供給中断から２９分５２秒後に６００ｍｌ／ｍｉｎの流量で人工尿を８秒間供給管（１１ｂ）に供給し（２回目）、さらに２９分５２秒後に６００ｍｌ／ｍｉｎの流量で人工尿を８秒間供給管（１１ｂ）に供給した（３回目）。引き続きデータ収集を２９分５２秒間継続した。
【０１４４】
データ収集の間、得られる反射強度の比と検量線とを比較演算して得た水分データ（ｍＶ）を時間データと共に表示手段（６０ｂ）に表示すると同時に、保存手段（５０ｂ）にデータ保存した。なお、測定対象２〜４についても、同様に測定し、データ保存した
【０１４５】
保存したデータを表計算ソフト｛マイクロソフトオフィスエクセル（Microsoft Office Excel）、マイクロソフトコーポレーション（Microsoft Corporation）｝へ転送し、時間−水分のグラフを描いた。そして、表計算ソフトのマクロ機能を用いて、ベースライン（水分０％でＹ軸に直交する垂線＝Ｘ軸）と、０分の点でＸ軸に直交する垂線（Ｙ軸）と、時間３０分の点でＸ軸に直交する垂線と、グラフとで囲まれる面積（１回目）を算出した。また、同様にして、ベースラインと、３０分の点でＸ軸に直交する垂線と、６０分の点でＸ軸に直交する垂線と、グラフとで囲まれる面積（２回目）を算出した。また、同様にして、ベースラインと、６０分の点でＸ軸に直交する垂線と、９０分の点でＸ軸に直交する垂線と、グラフとで囲まれる面積（３回目）を算出した。得られた面積をセンサーごとに表５〜８にまとめた。
【０１４６】
２−２−３．表面ドライ感（無荷重下）
実施例１と同様にして、表面ドライ感の評価を行い、評価データを表５〜８に示した。
【０１４７】
【表５】
2008249609.tif 000007
【０１４８】
【表６】
2008249609.tif 000008
【０１４９】
【表７】
2008249609.tif 000009
【０１５０】
【表８】
2008249609.tif 000010
【０１５１】
センサー（１２ｂ１）から得られた面積と、表面ドライ感との関係｛面積vs.表面ドライ感｝を図１０に示す。
【０１５２】
＜比較例＞
１．水分測定装置（Ｈ）
ＳＤＭＥ（Surface Dryness Measurement Equipment）試験器（WK system社製）を用いた｛特許文献１に記載された表面水分測定装置に該当する。｝。
【０１５３】
２．水分測定装置（Ｈ）を用いた測定対象の測定
２−１．測定対象は、実施例１で調製したものを用いた。
２−２．測定
ＳＤＭＥ試験器に添付されている取扱説明書に従い、また、実施例の条件にできるだけ近い条件で、以下のようにして測定した。
【０１５４】
２−２−１．校正｛検量線の作成、保存｝
測定対象１を用いて、以下のようにして検量線を作成し、保存した。
３７℃に温度調整した人工尿（塩化カリウム０．０３％、硫酸マグネシウム０．０８％、塩化ナトリウム０．８％及び脱イオン水９９．０９％）に、測定対象１を１時間浸漬して標準１００％測定対象１（水分１００％）を得た。引き続き、標準１００％測定対象１を３７℃に温度調整した支持台（２０ａ）上に設置したスペーサー（２２ａ）に挿入した後、ＳＤＭＥ試験器の検出器を載せて、水分を測定して反射強度の比（水分１００％）を得た。
【０１５５】
一方、測定対象１を１０５℃で１２０分間乾燥した後、３７℃のデシケーター内で冷却して標準０％測定対象１を得た。引き続き、標準０％測定対象１を３７℃に温度調整した支持台（２０ａ）上に設置したスペーサー（２２ａ）に挿入したた後、ＳＤＭＥ試験器の検出器を載せて、水分を測定して反射強度の比（水分０％）を得た。
【０１５６】
そして、これらの反射強度の比から、検量線（反射強度の比−水分）を作成し、ＳＤＭＥ試験器に保存した。
【０１５７】
２−２−２．水分測定（無荷重下）
３７℃×６０％ＲＨの恒温恒湿室に４８時間放置しておいた測定対象１を、３７℃に温度調整した支持台（２０ａ）上に設置したスペーサー（２２ａ）に挿入した。引き続き、測定対象の中央に金属リング（内径７０ｍｍ、外径８０ｍｍ長さ５０ｍｍ、重量３００ｇ）を載せて、この金属リングの中に人工尿８０ｍｌを供給し、供給完了後直ちに金属リングを取り去き、換わりに、ＳＤＭＥ試験器の検出器を測定対象に接触するようにして載せた。ＳＤＭＥ試験器の検出器を載せると同時に測定を開始して、５分後の値を読み取った｛検量線とを比較演算して得た値｝。なお、測定対象２〜４についても、同様に測定し、５分後の値を読み取った。これらのデータを表９にまとめた。
【０１５８】
【表９】
2008249609.tif 000011
【０１５９】
水分と、表面ドライ感との関係｛水分vs.表面ドライ感｝を図１０に示す｛なお、表面ドライ感は実施例１のデータを用いた。｝。
図１０から明らかなように、本発明の水分測定装置を用いて評価した結果は、表面ドライ感と極めて高い相関があった。一方、比較例の装置で評価した場合、すべての測定対象が優れているという結果が得られ、実使用に近い評価結果（表面ドライ感）と相関が認められなかった。
【図面の簡単な説明】
【０１６０】
【図１】実施例１で用いた水分測定装置を模式的に示した正面図である｛信号線及び電力線は省略してある。｝。
【図２】実施例１で用いた水分測定装置のうち、カートリッジ（１０）及び支持台（２０）について、模式的に分解して示した斜視図である｛信号線及び電力線は省略してある。｝。
【図３】実施例２で用いた水分測定装置のうち、測定対象をカートリッジ（１０）及び支持台（２０）で挟持した状態を模式的に示した斜視図である｛信号線及び電力線は省略してある。｝。
【図４】実施例２で用いた水分測定装置のうち、測定対象をカートリッジ（１０）及び支持台（２０）で挟持した状態を模式的に示した断面図である｛供給管（１１）の円柱軸を含む垂直断面を示す断面図である。｝。
【図５】実施例１で得た時間と水分との関係を表すグラフである｛４個のセンサーのデータ｝。
【図６】実施例１で得た時間と水分との関係を表すグラフである｛センサー（１２ａ１）のデータ｝。
【図７】実施例１で得た時間と水分との関係を表すグラフである｛センサー（１２ａ２）のデータ｝。
【図８】実施例１で得た時間と水分との関係を表すグラフである｛センサー（１２ａ３）のデータ｝。
【図９】実施例１で得た時間と水分との関係を表すグラフである｛センサー（１２ａ４）のデータ｝。
【図１０】実施例１及び２で得た面積と表面ドライ感との関係、並びに比較例で得た水分と表面ドライ感との関係を表すグラフである。
【符号の説明】
【０１６１】
１０  カートリッジ
１１  供給管
１２  水分センサー
１３  面状体
１４  供給口
１５  スペーサー
１６  保護カバー
２０  支持台
２１  温度調整手段
２２  スペーサー
２３  面状体
３０  定量ポンプ
３１  供給量制御手段
４０  荷重印可手段
４１  荷重制御手段
５０  保存手段
６０  表示手段
７０  制御ボックス
８０  水性液体
９０  ストックタンク
１００  測定対象
【図１】
2008249609.tif 000012
【図２】
2008249609.tif 000013
【図３】
2008249609.tif 000014
【図４】
2008249609.tif 000015
【図５】
2008249609.tif 000016
【図６】
2008249609.tif 000017
【図７】
2008249609.tif 000018
【図８】
2008249609.tif 000019
【図９】
2008249609.tif 000020
【図１０】
2008249609.tif 000021